(57)【要約】【課題】  オートフィーダー装置付シュレッダー装置で装着された書類を連続細断時の細断時間を短縮可能なオートフィーダー装置付シュレッダーを提供する。【解決手段】  オートフィーダー装置付シュレッダー装置に於いてサバキローラ１．２に圧接する書類イを送行させる。サバキローラ１．２は圧接する切断書類を同時に送行を開始するが、サバキローラ１で書類送行中にサバキローラ２が次書類の送行を開始する。これにより送行書類は送行方向で重り合う部分が出来る。この状態での送行を繰返すことにより、連続送行時に於いても表面書類、次書類が部分重り合う搬送を可能とし細断時間の短縮を可能としたことを特徴とする。【選択図】  図４
2006205145.tif 000002
【特許請求の範囲】
【請求項１】
切断書類を連続してサバキ搬送するフィーダー部と切断書類を細断するシュレッダー部と前記切断書類をシュレッダー部に連続搬送するフィーダー部に部分重ね合せて連続搬送させるに必要な複数個のサバキローラを備えることを特徴とするオートフィーダー装置付シュレッダー装置。
【発明の詳細な説明】
【発明の詳細な説明】
【技術分野】
【０００１】  本発明は、文書処理に係り、特に、オートフィーダー装置とシュレッダー装置を一体化し、連続・細断処理できる文書処理装置に関する。
【背景技術】
【０００２】  シュレッダー装置にオートフィーダー装置とを組合せた文書処理装置が種々提案されている。【０００３】  従来のオートフィーダー装置付シュレッダー装置は書類が一枚又は数枚重ねてサバキ細断するのを目的とした装置である。【０００４】  しかしながら、従来のオートフィーダー装置付シュレッダー装置は、書類の長さとサバキ枚数そして搬送スピードで細断時間が決り書類が多い時は細断時間を多く必要とした。【０００５】  このために書類の細断時間を短縮するには、書類の搬送スピードを早くする必要があった。【０００６】  しかしながら、搬送スピードを早くすると書類の折曲、湾曲等により書類が片寄送行しジャム発生の一因となっていた。【０００７】
【特許文献１】  出願番号  特許出願平４−１５８７３２
【特許文献２】  出願番号  特許出願平７−１５３９６４
【特許文献３】  出願番号  実用新案２００４−００２２４８
【発明が解決しようとする課題】
【０００８】  そこで、従来のオートフィーダー装置付シュレッダー装置には、次の問題があった。
（１）書類は、フィーダー装置で定めた枚数にサバキ、搬送し、シュレッダー装置で細断した。
（２）連続的にサバかれた書類は、連続搬送されるが書類の前後は重り合うことがなく断続搬送になっていた。
（３）このために書類を細断する時間は、書類の長さサバキの回数に比例する。
（４）全体の細断時間を短縮させるには、書類のサバキスピード、搬送スピードを早くする必要があった。
（５）書類のサバキスピードを早くすると、サバキローラと書類はスリップが大きくなり搬送スピードにムラが出る原因となった。
（６）更に、書類の折曲、湾曲の影響で片寄送行しジャムの発生の一因となった。
【０００９】  そこで、本発明の目的は上記従来技術の有する問題を解消し、書類の細断時間を短縮することを可能とすることである。
【課題を解決するための手段】
【００１０】  上記目的を達成するために、本発明のオートフィーダー装置付シュレッダー装置に於けるオートフィーダー装置は、書類のサバキローラを書類の送行方向に複数個設置したことを特徴とする。
【００１１】  また、複数個設置したサバキローラでの切断書類のサバキ状態は書類の面を複数のサバキローラで送行させる時と１個のサバキローラで送行させる時があり、これを繰返すことで部分重ね合せ送行を可能とし、搬送距離を短縮し細断時間の短縮を可能とする。
【００１２】  すなわち進行方向に対し縦に複数個配置したサバキローラ、本説明に於いては２個、書類Ａ４の長さ１／３程度の位置に設置された状態について説明する。
【００１３】  また、サバキについては、２個のサバキローラに書類はプッシャー板で押圧し、サバキローラに圧接されている。
【００１４】  また、２個のサバキローラが回転すると表面の書類の搬送が開始され、進行方向後のサバキローラは表面の書類から外れ、次書類の搬送を開始させる。この時、進行方向前のサバキローラはまだ表面書類を搬送している。
【００１５】  また、２個のサバキローラは各々異なる表面の書類、次書類を送行させることで書類は表面の書類、次書類と部分重り合って送行され重り合った長さが送行時の書類長短縮を可能とした。
【００１６】  上述の発明に於いて、オートフィーダー装置がシュレッダー装置に書類を搬送する方法として、書類の部分重送を可能としたため、搬送スピードを変更することなく書類の細断時間を短縮することを可能としたことを特徴とする。
【発明を実施するための最良の形態】
【００１７】  以下、本発明のオートフィーダー装置付シュレッダー装置の実施形態について説明する。
まず、図１を参照し本発明の実施形態について説明する。
本発明によるオートフィーダー装置Ａは、シュレッダー装置Ｂの上部に設置されている。【００１８】  また、本発明によるオートフィーダー装置により、書類は２個のサバキローラでサバかれ、部分的に書類が重り合って送り出す形態を図２を参照し説明する。【００１９】  また、本発明によるオートフィーダー装置により、書類がサバかれ書類が部分的に重り合って連続送行する形態を図３を参照し説明する。【００２０】  また、本発明によるオートフィーダー装置がシュレッダー装置に設置され切断書類が２個のサバキローラでサバかれ搬送系路を介しシュレッダー装置に送行される形態を図４を参照して説明する。【００２１】  まず、図１を参照しオートフィーダー装置がシュレッダー装置上に設置されている状態の外観装置を示している。【００２２】  また、図２を参照し、本発明の実施形態について説明する。
書類イはスベリ板３上に装着されている。
書類イはプッシャー板４で矢視Ｐ方向に力が加えられサバキローラ１．２に押圧されている。
サバキローラ１．２はベルト１１で同一方向に回転が伝達される。
サバキローラ１．２はローラホルダー５に保持されており、サバキローラ１のローラ軸８を支点としローラホルダー５に保持されたサバキローラ２はバネ６で書類に圧接している。
バネ６の他端は固定軸７に固定されている。【００２３】  また、実施の形態ではサバキローラ１．２が矢印Ｃ方向に回転すると、圧接している書類イはまず、表面書類イ−１が矢印Ｄ方向に送行し搬送する。
表面書類イ−１がサバキローラ２を通過するとサバキローラ２は次書類イ−２を送行開始する。この時点でサバキローラ１は表面書類イ−１を、サバキローラ２は次書類イ−２を送行させ書類が部分重り合い重送する。【００２４】  また、サバキローラ１．２で表面書類を同時送行、サバキローラ１．２での単一送行を繰返すことが書類の部分重ね合せ連続送行を可能とし搬送距離を短縮し細断時間の短縮を可能とした。【００２５】  また、図３を参照し本発明の実施形態について説明する。
切断書類イは搬送系路に於いて書類イ−１、書類イ−２、書類イ−３のように部分重ね合って送行する。この重り合い部分が搬送距離短縮を示している。【００２６】  また、図４を参照し本発明の実施形態について説明する。
本発明によるオートフィーダー装置Ａは、シュレッダー装置Ｂ上に設置されており、書類イが細断されるカッターＥ間の搬送系路を示している。【００２７】  また、スベリ板３上に書類イを装着しプッシャー板４でサバキローラ１．２に圧接する。サバキローラ１．２に圧接された書類イは、サバキローラ１．２が矢印Ｃ方向の回転で送行し、フィードローラ９でシュレッダーＢ内のカッターＥまで搬送し書類の細断を行う。
この時、搬送系路に設けたガイド板１０が書類の送行をより確実なものとした。
【発明の効果】
【００２８】以上説明したように、本構成によれば装着した書類を連続部分重ね合せ送行を可能とし、シュレッダー装置に搬送し、細断時間の短縮を可能としたオートフィーダー装置付シュレッダー装置を提供することができる。
【図面の簡単な説明】
【図１】  本発明の実施形態のオートフィーダー装置付シュレッダー装置の外観構成図を示す図。
【図２】  本発明の実施形態のオートフィーダー装置による書類サバキの構成を示す図。
【図３】  本発明の実施形態による書類搬送部分重ね合せ連続送行の形態を示す図。
【図４】  本発明の実施形態によるオートフィーダー装置とシュレッダー装置の書類搬送構造を示す図。
【符号の説明】
Ａ        オートーフィーダー装置
Ｂ        シュレッダー装置
Ｃ        ローラ回転方向
Ｄ        搬送方向
Ｐ        押圧方向
イ        切断書類
１．２    サバキローラ１．２
３        スベリ板
４        プッシャー板
５        ローラホルダー
６        バネ
７        固定軸
８        ローラ軸
９        フィードローラ
１０      ガイド板
１１      ベルト
【図１】
2006205145.tif 000003
【図２】
2006205145.tif 000004
【図３】
2006205145.tif 000005
【図４】
2006205145.tif 000006